(57)【要約】【課題】  通信異常によるユーザの不安やストレスを抑制する。【解決手段】  無線通信部４０との通信が正常であるか判定し、無線通信部４０との通信が正常であると判定される場合、携帯通信端末４０１から取得したアプリケーションデータの重要度を記憶し、無線通信部４０との通信が正常でないと判定される場合、記憶しておいた前回取得したアプリケーションデータの重要度が高いか否かを判定し、重要度が高いと判定された場合、無線通信部４０の再起動を開始するタイミングを、重要度が低いと判定された場合のタイミングより遅らせ、かつ、画像表示部２０に通信異常を推測させるエラーメッセージを表示する。 【選択図】  図２
2020190601.tif 000002
【特許請求の範囲】
【請求項１】
携帯通信端末（４０１）と、前記携帯通信端末（４０１）と通信可能な無線通信部（４０）と、前記無線通信部（４０）を制御可能な表示制御装置（３０）と、前記表示制御装置（３０）により制御され、前記携帯通信端末（４０１）から取得したアプリケーションデータに基づく画像を表示可能な画像表示部（２０）と、からなる表示システム（１０）に用いられる前記表示制御装置（３０）であって、
１つ又はそれ以上のプロセッサ（３３）と、
メモリ（３７）と、
前記メモリ（３７）に格納され、前記１つ又はそれ以上のプロセッサ（３３）によって実行されるように構成される１つ又はそれ以上のコンピュータ・プログラムと、を備え、
前記１つ又はそれ以上のプロセッサ（３３）は、
前記無線通信部（４０）との通信が正常であるか判定し、
前記無線通信部（４０）との通信が正常であると判定される場合、
前記携帯通信端末（４０１）から取得した前記アプリケーションデータの重要度を記憶し、
前記無線通信部（４０）との通信が正常でないと判定される場合、
記憶しておいた前回取得した前記アプリケーションデータの前記重要度が高いか否かを判定し、
前記重要度が高いと判定された場合、
前記無線通信部（４０）の再起動を開始するタイミングを、前記重要度が低いと判定された場合のタイミングより遅らせ、かつ、前記画像表示部（２０）に通信異常を推測させるエラーメッセージ（２０２）を表示する、命令を実行する、
表示制御装置。
【請求項２】
前記表示システム（１０）は、ユーザが操作可能であり、操作信号を前記表示制御装置（３０）に送信する操作部（４１２）をさらに含み、
前記１つ又はそれ以上のプロセッサ（３３）は、
前記無線通信部（４０）との通信が正常であると判定され、かつ前回取得した前記アプリケーションデータの前記重要度が高いと判定された場合、
前記操作部（４１２）で選択可能であり、選択された場合に、前記無線通信部（４０）の再起動を開始させる再起動開始アイコン（２０４）を記画像表示部（２０）に表示させる、命令をさらに実行する、
請求項１に記載の表示制御装置。
【請求項３】
携帯通信端末（４０１）と、前記携帯通信端末（４０１）と通信可能な無線通信部（４０）と、前記無線通信部（４０）を制御可能な表示制御装置（３０）と、前記表示制御装置（３０）により制御され、前記携帯通信端末（４０１）から取得したアプリケーションデータに基づく画像を表示可能な画像表示部（２０）と、からなる表示システム（１０）であって、
１つ又はそれ以上のプロセッサ（３３）と、
メモリ（３７）と、
前記メモリ（３７）に格納され、前記１つ又はそれ以上のプロセッサ（３３）によって実行されるように構成される１つ又はそれ以上のコンピュータ・プログラムと、を備え、
前記１つ又はそれ以上のプロセッサ（３３）は、
前記無線通信部（４０）との通信が正常であるか判定し、
前記無線通信部（４０）との通信が正常であると判定される場合、
前記携帯通信端末（４０１）から取得した前記アプリケーションデータの重要度を記憶し、
前記無線通信部（４０）との通信が正常でないと判定される場合、
記憶しておいた前回取得した前記アプリケーションデータの前記重要度が高いか否かを判定し、
前記重要度が高いと判定された場合、
前記無線通信部（４０）の再起動を開始するタイミングを、前記重要度が低いと判定された場合のタイミングより遅らせ、かつ、前記画像表示部（２０）に通信異常を推測させるエラーメッセージ（２０２）を表示する、命令を実行する、
表示システム。
【請求項４】
ユーザが操作可能であり、操作信号を前記表示制御装置（３０）に送信する操作部（４１２）をさらに含み、
前記１つ又はそれ以上のプロセッサ（３３）は、
前記無線通信部（４０）との通信が正常であると判定され、かつ前回取得した前記アプリケーションデータの前記重要度が高いと判定された場合、
前記操作部（４１２）で選択可能であり、選択された場合に、前記無線通信部（４０）の再起動を開始させる再起動開始アイコン（２０４）を記画像表示部（２０）に表示させる、命令をさらに実行する、
請求項３に記載の表示システム。
【請求項５】
携帯通信端末（４０１）と、前記携帯通信端末（４０１）と通信可能な無線通信部（４０）と、前記無線通信部（４０）を制御可能な表示制御装置（３０）と、前記表示制御装置（３０）により制御され、前記携帯通信端末（４０１）から取得したアプリケーションデータに基づく画像を表示可能な画像表示部（２０）を制御する方法であって、
前記無線通信部（４０）との通信が正常であるか判定することと、
前記無線通信部（４０）との通信が正常であると判定される場合、
前記携帯通信端末（４０１）から取得した前記アプリケーションデータの重要度を記憶することと、
前記無線通信部（４０）との通信が正常でないと判定される場合、
記憶しておいた前回取得した前記アプリケーションデータの前記重要度が高いか否かを判定することと、
前記重要度が高いと判定された場合、
前記無線通信部（４０）の再起動を開始するタイミングを、前記重要度が低いと判定された場合のタイミングより遅らせ、かつ、前記画像表示部（２０）に通信異常を推測させるエラーメッセージ（２０２）を表示することと、を含む、
方法。
【請求項６】
前記無線通信部（４０）との通信が正常であると判定され、かつ前回取得した前記アプリケーションデータの前記重要度が高いと判定された場合、
ユーザの操作により選択された場合に、前記無線通信部（４０）の再起動を開始させる再起動開始アイコン（２０４）を記画像表示部（２０）に表示させること、をさらに含む、
請求項５に記載の方法。
【請求項７】
請求項５又は６に記載の方法を実行するための命令を含む、コンピュータ・プログラム。
【発明の詳細な説明】
【技術分野】
【０００１】
本開示は、車両で使用され、車両の前景に画像を重畳して視認させる表示制御装置、表示システム、方法、及びコンピュータ・プログラムに関する。
【背景技術】
【０００２】
特許文献１には、無線部の異常が検出された場合、再起動する無線通信装置が開示されている。
【先行技術文献】
【特許文献】
【０００３】
【特許文献１】特開２０１６−４８８２２号公報
【発明の概要】
【発明が解決しようとする課題】
【０００４】
異常が検出され、再起動する場合、無線通信で取得した情報に基づき、それまでに表示していたコンテンツの画像を維持する、又は表示していたコンテンツが切り替わるため、すなわち、ユーザからしてみれば、表示されている画像の情報が最新ではない可能性がある、表示されている重要な画像の情報に不確かさがある可能性がある、又は再起動による表示切り替えが突然発生する可能性がある、などの不安が生じることが想定される。
【課題を解決するための手段】
【０００５】
本明細書に開示される特定の実施形態の要約を以下に示す。これらの態様が、これらの特定の実施形態の概要を読者に提供するためだけに提示され、この開示の範囲を限定するものではないことを理解されたい。実際に、本開示は、以下に記載されない種々の態様を包含し得る。
【０００６】
本開示の概要は、通信異常によるユーザの不安やストレスを抑制することに関する。
【０００７】
したがって、本明細書に記載される表示制御装置は、無線通信部との通信が正常であるか判定し、無線通信部との通信が正常であると判定される場合、携帯通信端末から取得したアプリケーションデータの重要度を記憶し、無線通信部との通信が正常でないと判定される場合、記憶しておいた前回取得したアプリケーションデータの重要度が高いか否かを判定し、重要度が高いと判定された場合、無線通信部の再起動を開始するタイミングを、重要度が低いと判定された場合のタイミングより遅らせ、かつ、画像表示部に通信異常を推測させるエラーメッセージを表示する。
【図面の簡単な説明】
【０００８】
【図１】いくつかの実施形態に係る、表示システムの車両への適用例を示す図である。
【図２】いくつかの実施形態に係る、表示システムのブロック図である。
【図３】いくつかの実施形態に係る、表示システムにおける動作フローを示す図である。
【図４Ａ】いくつかの実施形態に係る画像表示部が表示するエラーメッセージの例を示す図である。
【図４Ｂ】いくつかの実施形態に係る画像表示部が表示するエラーメッセージの例を示す図である。
【図５Ａ】いくつかの実施形態に係る画像表示部が表示する再起動開始アイコンの例を示す図である。
【図５Ｂ】いくつかの実施形態に係る画像表示部が表示する再起動開始アイコンの例を示す図である。
【発明を実施するための形態】
【０００９】
以下、図１及び図２では、例示的な表示システムの構成の説明を提供する。図３は、表示システムの動作フローの説明を提供する。また、図４Ａ、図４Ｂ、図５Ａ、図５Ｂでは、表示システムが表示する画像についての説明を提供する。なお、本発明は以下の実施形態（図面の内容も含む）によって限定されるものではない。下記の実施形態に変更（構成要素の削除も含む）を加えることができるのはもちろんである。また、以下の説明では、本発明の理解を容易にするために、公知の技術的事項の説明を適宜省略する。
【００１０】
図１を参照する。表示システム１０は、画像表示部２０と、画像表示部２０を制御する表示制御装置３０と、表示制御装置３０に接続される無線通信部４０と、で構成され、車両の運転者等の利用者が携帯する携帯通信端末４０１のアプリケーション（以下「アプリケーション」という。）に関する情報を、画像表示部２０で表示可能である。
【００１１】
表示システム１０における画像表示部２０は、例えば、車両１のダッシュボード５内に設けられたヘッドアップディスプレイ（ＨＵＤ：Ｈｅａｄ−Ｕｐ  Ｄｉｓｐｌａｙ）装置である。ＨＵＤ装置は、表示光２０ａを車両１のフロントウインドシールド２（被投影部材の一例である）に向けて出射し、フロントウインドシールド２（被投影部材の一例である）よりも前方側の表示領域１００で画像を視認させる。
【００１２】
画像表示部２０は、画像を表示する表示面を有する表示器２２と、リレー光学系２４と、を含む。表示器２２は、ＬＣＤなどのバックライトからの光を透過する透過型ディスプレイであってもよく、スクリーンに画像を投影するプロジェクション型ディスプレイであってもよい。これらの場合、表示面は、透過型ディスプレイにおけるディスプレイ表面であり、プロジェクション型ディスプレイのスクリーンである。
【００１３】
リレー光学系２４は、表示器２２とフロントウインドシールド２との間の表示器２２からの画像の光の光路上に配置され、表示器２２からの画像の光を画像表示部２０の外側のフロントウインドシールド２に投影する１つ又はそれ以上の光学部材で構成される。リレー光学系２４は、１つの凹面鏡を含むが、これに加え、又はこれに代わり、例えば、１つ又はそれ以上の、レンズなどの屈折光学部材、ホログラムなどの回折光学部材、反射光学部材、もしくはこれらの組み合わせを含んでいてもよい。
【００１４】
また、画像表示部２０は、ヘッドマウントディスプレイ（以下、ＨＭＤ）装置であってもよい。運転者４は、ＨＭＤ装置を頭部に装着して車両１の座席に着座することで、表示される画像を視認する。表示システム１０が所定の画像を表示する表示領域１００は、車両１の座標系を基準とした特定の位置に固定（調整可能に配置）されてもよく、この場合、運転者４がその方向を向くと、その特定の位置に固定された表示領域１００内に表示された画像を視認することができる。
【００１５】
また、画像表示部２０は、車両１のインストルメントパネル（不図示）、又はダッシュボード５内若しくはインストルメントパネル上に設けられる表示パネル等、の表示器であってもよい。
【００１６】
図２は、いくつかの実施形態に係る、表示システム１０のブロック図である。表示制御装置３０は、１つ又はそれ以上のプロセッサ３３、１つ又はそれ以上の画像処理回路３５、及び１つ又はそれ以上のメモリ３７を備える。図２に記載される様々な機能ブロックは、ハードウェア、ソフトウェア、又はこれら両方の組み合わせで構成されてもよい。図２は、本発明の一実施形態に過ぎず、図示された構成要素は、より数の少ない構成要素に組み合わされてもよく、又は追加の構成要素があってもよい。例えば、画像処理回路３５（例えば、グラフィック処理ユニット）が、１つ又はそれ以上のプロセッサ３３に含まれてもよい。
【００１７】
図示するように、プロセッサ３３及び画像処理回路３５は、メモリ３７と動作可能に連結される。より具体的には、プロセッサ３３及び画像処理回路３５は、メモリ３７に記憶されているプログラムを実行することで、例えば画像データを生成、及び／又は送信するなど、表示システム１０の操作を行うことができる。プロセッサ３３及び／又は画像処理回路３５は、少なくとも１つの汎用マイクロプロセッサ（例えば、中央処理装置（ＣＰＵ））、少なくとも１つの特定用途向け集積回路（ＡＳＩＣ）、少なくとも１つのフィールドプログラマブルゲートアレイ（ＦＰＧＡ）、又はそれらの任意の組み合わせを含むことができる。メモリ３７は、ハードディスクのような任意のタイプの磁気媒体、ＣＤ及びＤＶＤのような任意のタイプの光学媒体、揮発性メモリのような任意のタイプの半導体メモリ、及び不揮発性メモリを含む。揮発性メモリは、ＤＲＡＭ及びＳＲＡＭを含み、不揮発性メモリは、ＲＯＭ及びＮＶＲＯＭを含んでもよい。
【００１８】
表示器２２は、プロセッサ３３及び画像処理回路３５に動作可能に連結される。したがって、画像表示部２０によって表示される画像は、プロセッサ３３及び／又は画像処理回路３５から受信された画像データに基づいてもよい。プロセッサ３３及び画像処理回路３５は、携帯通信端末４０１から得られる後述の外部機器情報に基づき、画像表示部２０が表示する画像を制御する。
【００１９】
無線通信部４０は、外部機器としての携帯通信端末４０１と無線通信可能なインタフェースであり、例えば、Ｂｌｕｅｔｏｏｔｈ（登録商標）ネットワークなどのパーソナルエリアネットワーク（ＰＡＮ）、もしくは８０２．１１ｘ Ｗｉ−Ｆｉ（登録商標）ネットワークなどのローカルエリアネットワーク（ＬＡＮ）等の数十メートル内の近距離無線通信インタフェースである車内通信（内部通信）インタフェース（これらに限定されない。）、又は、無線ワイドエリアネットワーク（ＷＷＡＮ０、ＩＥＥＥ８０２．１６−２００４（ＷｉＭＡＸ：Worldwide Interoperability for Microwave Access））、ＩＥＥＥ８０２．１６ｅベース（Ｍｏｂｉｌｅ  ＷｉＭＡＸ）、４Ｇ、４Ｇ−ＬＴＥ、ＬＴＥ  Ａｄｖａｎｃｅｄ、もしくは５Ｇなどのセルラー通信規格により広域通信網（例えば、インターネット通信網）を用いた車外通信（外部通信）インタフェース（これらに限定されない。）である。表示制御装置３０（プロセッサ３３）は、無線通信部４０を介して、後述する携帯通信端末４０１から外部機器情報（アプリケーションに関する情報、経路誘導情報、音楽情報、車載用に最適化された映像情報等）を受信する。
【００２０】
図示するように、表示制御装置３０（プロセッサ３３）は、例えば、ＣＡＮ（Controller Area Network）の規格に応じて、車両１に設けられた後述の操作部４１２、及び／又は車両ＥＣＵ４１４、と通信（ＣＡＮ通信とも称する）を行う。なお、通信規格は、ＣＡＮに限定されず、例えば、ＣＡＮＦＤ（ＣＡＮ with Flexible Data Rate）、ＬＩＮ（Local Interconnect Network）、Ｅｔｈｅｒｎｅｔ（登録商標）、ＭＯＳＴ（Media Oriented Systems Transport：ＭＯＳＴは登録商標）、ＵＡＲＴ、あるいはＵＳＢなどの有線通信インタフェースであってもよい。表示制御装置３０（プロセッサ３３）は、後述する操作部４１２、車両ＥＣＵ４１４から信号を受信する。
【００２１】
携帯通信端末４０１は、スマートフォン、ノートパソコン、スマートウォッチ、又はユーザ（車両１の乗員）が携帯可能なその他の情報機器であり、１つ又はそれ以上のプロセッサ（不図示）と、１つ又はそれ以上のメモリ（不図示）と、無線通信部４０と無線通信可能な無線通信部（不図示）と、表示器（不図示）と、で構成される。これら各種の構成は、それぞれ携帯通信端末４０１のプロセッサに電気的に接続され、携帯通信端末４０１のプロセッサによって統括的に制御される。携帯通信端末４０１は、表示システム１０の無線通信部４０へアプリケーション情報を送信し、表示システム１０の無線通信部４０から後述の操作部４１２における操作信号を受信する。
【００２２】
操作部４１２は、車両１に設けられ、車両１の乗員による操作信号を、表示制御装置３０（プロセッサ３３）に出力する。
【００２３】
表示システム１０と携帯通信端末４０１との通信が正常な場合（すなわち、無線通信部４０の動作が正常な場合）、表示制御装置３０は、携帯通信端末４０１からアプリケーションに関する情報を無線通信部４０から受信すると、そのアプリケーションのうち表示システム１０に対応しているもの（表示システム１０で表示、操作することができるもの）の画像を画像表示部２０に表示させる。
【００２４】
そして、画像表示部２０が表示する画像の一種であるアイコン（不図示）をユーザが操作部４１２により選択すると、表示制御装置３０のプロセッサ３３は、操作部４１２の操作情報を受信し、無線通信部４０により前記操作情報を携帯通信端末４０１に送信する。携帯通信端末４０１は、入力した前記操作情報に基づいた処理を実行する。
【００２５】
図２の車両ＥＣＵ４１４は、車両１に設けられたセンサなどから、車両１の状態（例えば、走行距離、車速、アクセルペダル開度、ブレーキペダル開度、エンジンスロットル開度、インジェクター燃料噴射量、エンジン回転数、モータ回転数、ステアリング操舵角、シフトポジション、ドライブモード、各種警告状態、姿勢（ロール角、及び／又はピッチング角を含む）、車両の振動（振動の大きさ、頻度、及び／又は周波数を含む））などを取得し、車両１の前記状態を収集、及び管理（制御も含んでもよい。）するものであり、機能の一部として、車両１の前記状態の数値（例えば、車両１の車速。）を示す信号を、表示制御装置３０のプロセッサ３３へ出力することができる。なお、車両ＥＣＵ４１４は、単にセンサ等で検出した数値をプロセッサ３３へ送信することに加え、又は代わりに、センサで検出した数値を含む前記車両１の１つ又は複数の状態に基づく判定結果（例えば、車両１が減速していること。）、若しくは／及び解析結果（例えば、運転者４がブレーキにより減速する意思があること。）を、プロセッサ３３へ送信してもよい。例えば、車両ＥＣＵ４１４は、車両１が車両ＥＣＵ４１４のメモリ（不図示）に予め記憶された所定の減速条件を満たすように車速が低下しているかの判定結果を示す信号を表示制御装置３０へ出力してもよい。
【００２６】
また、車両ＥＣＵ４１４は、表示システム１０が表示する画像を指示する指示信号を表示制御装置３０へ出力してもよく、この際、画像の座標、サイズ、種類、表示態様、画像の重要度、及び／又は重要度を判定する元となる必要度関連情報を、指示信号に付加して送信してもよい。
【００２７】
メモリ３７に記憶されたソフトウェア構成要素は、通信異常判定モジュール５０２、重要度判定モジュール５０４、無線通信制御モジュール５０６、及びグラフィックモジュール５０８を含む。
【００２８】
通信異常判定モジュール５０２は、表示制御装置３０のプロセッサ３３と携帯通信端末４０１との間で通信異常の可能性があるか否かを判定する。通信異常判定モジュール５０２は、携帯通信端末４０１から無線通信部４０を介して受信した通信信号におけるデータが異常である場合は、通信異常の可能性があると判定する。なお、通信信号におけるデータの異常の有無は、前回受信した通信信号のデータと今回受信した通信信号のデータとの差分値を求め、この差分値が異常値を示すか否かによって判断することができる。例えば、差分値が０である場合や通常の制御で取り得る値の範囲から外れている場合はデータが異常であると判断し、そうでない場合はデータが正常であると判断する。また、通信プロトコルに誤りがある場合や、携帯通信端末４０１から所定のタイミングで通信信号を受信できない場合にも、通信異常の可能性があると判定する。一方、これらの条件に該当しない場合は、通信異常の可能性がないと判定する。
【００２９】
通信異常判定モジュール５０２は、通信異常の可能性があると判定した場合、通信異常判定カウンタをインクリメントする。この通信異常判定カウンタは、通信異常の可能性ありと判定された期間を計測するためのカウンタであり、プロセッサ３３の動作中にメモリ３７に記憶されている。通信異常判定モジュール５０２は、通信異常判定カウンタが所定の通信異常判定閾値よりも大きいか否かを判定し、その結果、通信異常判定カウンタが通信異常判定閾値よりも大きい場合は、通信異常、すなわち表示制御装置３０と携帯通信端末４０１との間の通信が異常であると判定する。
【００３０】
通信異常判定モジュール５０２は、通信異常判定カウンタが通信異常判定閾値以下である場合は、通信異常なし、すなわち表示制御装置３０と携帯通信端末４０１との間の通信が正常であると判定する。なお、そもそも通信異常の可能性がないと判定した場合、通信異常判定モジュール５０２は、前述の通信異常判定カウンタを初期値（例えば０）にクリアする。
【００３１】
重要度判定モジュール５０４は、表示システム１０が表示する携帯通信端末４０１のアプリケーションに関する画像が運転者４にとって重要な内容であるかを判定する。『重要度』は、例えば、知覚しなかった場合に起こり得る自体の重大さの程度から導き出される危険度、反応行動を起こすまでに要求される反応時間の長短から導き出される緊急度、車両１や運転者４（又は車両１の他の乗員）の状況から導き出される有効度、又はこれらの組み合わせなどで決定され得る（重要度の指標はこれらに限定されない）。なお、重要度判定モジュール５０４は、重要度を算出するのではなく、画像のコンテンツの種類に応じて、予め設定された重要度をメモリ３７から読み出してもよい。また、表示システム１０は、画像の重要度を取得できればよく、重要度を推定する（算出する）機能を有していなくてもよく、重要度を推定する機能の一部又は全部は、表示システム１０の表示制御装置３０とは別（例えば、車両ＥＣＵ４１４）に設けられてもよい。
【００３２】
無線通信制御モジュール５０６は、通信異常判定モジュール５０２により通信異常と判定された場合に、無線通信部４０を制御する様々なソフトウェアプログラム要素を含む。具体的には、重要度判定モジュール５０４により携帯通信端末４０１からの情報に基づき表示している画像のコンテンツが重要であると判定される場合、後述するグラフィックモジュール５０８は、表示している携帯通信端末４０１から過去（直前）に取得した情報に基づくアプリケーションコンテンツの画像を維持させつつ、これに加えて、無線通信部４０を再起動することを示すエラーメッセージを表示させ、無線通信制御モジュール５０６は、当該エラーメッセージを表示してから数秒（例えば、５秒）後、無線通信部４０の再起動を実行する。なお、無線通信部４０の再起動の際、後述するグラフィックモジュール５０８は、無線通信部４０を再起動していることを示すエラーメッセージを表示させてもよい。また、無線通信部４０の再起動の際、後述するグラフィックモジュール５０８は、携帯通信端末４０１からの情報に基づかない画像を追加で表示させてもよい。
【００３３】
一方、重要度判定モジュール５０４により携帯通信端末４０１からの情報に基づき表示している画像のコンテンツが重要でないと判定される場合、後述するグラフィックモジュール５０８は、表示している携帯通信端末４０１から過去（直前）に取得した情報に基づく画像のコンテンツを維持させず、無線通信制御モジュール５０６は、直ちに、無線通信部４０の再起動を実行する。なお、無線通信部４０の再起動の際、後述するグラフィックモジュール５０８は、無線通信部４０を再起動していることを示すエラーメッセージを表示させてもよい。また、無線通信部４０の再起動の際、後述するグラフィックモジュール５０８は、携帯通信端末４０１からの情報に基づかない画像を追加で表示させてもよい。
【００３４】
グラフィックモジュール５０８は、レンダリングなどの画像処理をして画像を生成し、表示器２２を駆動するための様々な既知のソフトウェア構成要素を含む。なお、グラフィックモジュール５０８は、表示される画像の視覚的効果（例えば、視認性パラメータ（輝度、透明度、彩度、コントラスト）、パースペクティブ特性パラメータ、視点変換パラメータ、動画パラメータ）を設定し、表示器２２を制御するための様々な既知のソフトウェア構成要素を含んでいてもよい。なお、グラフィックモジュール５０８は、画像の視覚的効果に影響を与え得る表示器２２以外の光源（不図示）などのハードウェア構成要素を制御するためのソフトウェア構成要素を含んでいてもよい。グラフィックモジュール５０８が表示させる画像は、限定されず、静止画、動画、撮像画像、又は加工された撮像画像などであってもよい。
【００３５】
図３は、いくつかの実施形態に係る表示制御装置による表示制御のフロー図である。この処理は、表示システム１０が起動してから停止するまで繰り返し実行され、表示システム１０が携帯通信端末４０１に無線接続されていなければ、実行されない。
【００３６】
まず、ステップＳ１１では、プロセッサ３３は、無線通信部４０を介して携帯通信端末４０１からアプリケーション情報（通信信号）を取得し、通信異常判定モジュール５０２を実行し、通信異常があるかを判定する（ステップＳ１２）。
【００３７】
通信異常がないと判定された場合（ステップＳ１２でＮｏ）、プロセッサ３３は、重要度判定モジュール５０４を実行し、携帯通信端末４０１から受信したアプリケーションコンテンツの重要度を算出し（ステップＳ１３）、当該重要度をメモリ３７に記憶しておき、必要なアプリケーションコンテンツの画像を画像表示部２０に表示させる（ステップＳ１４）。
【００３８】
通信異常があると判定された場合（ステップＳ１２でＹｅｓ）、プロセッサ３３は、前回、通信が正常であった際に受信したアプリケーションコンテンツの重要度に関するデータ（ステップＳ１３で算出したデータ）をメモリ３７から読み出し、重要であるか否かを判定する（ステップＳ１５）。具体的には、プロセッサ３３は、前回、通信が正常であった際に受信したアプリケーションコンテンツの重要度に関するデータと、メモリ３７に記憶された重要度閾値とを比較することで判定してもよい（判定方法はこれに限定されない）。アプリケーションコンテンツの重要度に関するデータは、複数のアプリケーションコンテンツのうち重要度が最も高いアプリケーションコンテンツの重要度、複数のアプリケーションコンテンツのうち重要度の合算値、又は複数のアプリケーションコンテンツのうち重要度が高い方から所定数のアプリケーションコンテンツの重要度の合算値、などであるが、これらに限定されない。
【００３９】
一方、アプリケーションコンテンツが重要ではないと判定された場合（ステップＳ１５でＮｏ）、プロセッサ３３は、無線通信制御モジュール５０６により携帯通信端末４０１を直ちに再起動させ（ステップＳ１６）、ステップＳ１１に戻り、再び処理を開始する。
【００４０】
アプリケーションコンテンツが重要であると判定された場合（ステップＳ１５でＹｅｓ）、プロセッサ３３は、携帯通信端末４０１から過去（直前）に取得した情報に基づくアプリケーションコンテンツの画像を維持させつつ、これに加えて、無線通信部４０を再起動することを示すエラーメッセージを表示し（ステップＳ１７）、所定時間（例えば５秒）が経過した後、無線通信制御モジュール５０６により携帯通信端末４０１を再起動させ（ステップＳ１８）、ステップＳ１１に戻り、再び処理を開始する。これにより、重要な画像が表示されている際には、予めすぐにエラーメッセージを表示することで、表示されている重要な画像の情報が最新ではないこと、表示されている重要な画像の情報に不確かさがある可能性があること、又は再起動による表示切り替えが発生する可能性があること、などをユーザに認識する機会を与えてから無線通信部４０が再起動されるので、ユーザに安心感を与えることができる。他方、重要ではない画像については、ユーザの関心度も低いため、情報が最新であるか否か、情報の確かさ、又は表示切り替えが発生してしまうこと、によるユーザが感じる影響も小さく、迅速に通信状態を正常にすることでユーザにとって利便性を高くすることができる。
【００４１】
図４Ａ、図４Ｂは、図３のステップＳ１７で表示され得る通信異常を推測させるエラーメッセージ２０２をインストルメントパネル（画像表示部２０の一例）の表示領域１００に表示した例を示す図であり、図５Ａ、図５Ｂは、図３のステップＳ１７で表示され得る操作部４１２で選択操作された場合に、無線通信部４０の再起動を開始させる再起動開始アイコン２０４の例を示す図である。
【００４２】
上述の処理プロセスの動作は、汎用プロセッサ又は特定用途向けチップなどの情報処理装置の１つ以上の機能モジュールを実行させることにより実施することができる。これらのモジュール、これらのモジュールの組み合わせ、及び／又はそれらの機能を代替えし得る公知のハードウェアとの組み合わせは全て、本発明の保護の範囲内に含まれる。
【００４３】
表示システム１０の機能ブロックは、任意選択的に、説明される様々な実施形態の原理を実行するために、ハードウェア、ソフトウェア、又はハードウェア及びソフトウェアの組み合わせによって実行される。図２で説明する機能ブロックが、説明される実施形態の原理を実施するために、任意選択的に、組み合わされ、又は１つの機能ブロックを２以上のサブブロックに分離されてもいいことは、当業者に理解されるだろう。したがって、本明細書における説明は、本明細書で説明されている機能ブロックのあらゆる可能な組み合わせ若しくは分割を、任意選択的に支持する。
【符号の説明】
【００４４】
１      ：車両
２      ：フロントウインドシールド
４      ：運転者
５      ：ダッシュボード
１０    ：表示システム
２０    ：画像表示部
２０ａ  ：表示光
２２    ：表示器
２４    ：リレー光学系
３０    ：表示制御装置
３３    ：プロセッサ
３５    ：画像処理回路
３７    ：メモリ
４０    ：無線通信部
１００  ：表示領域
２０２  ：エラーメッセージ
２０４  ：再起動開始アイコン
４０１  ：携帯通信端末
４１２  ：操作部
４１４  ：車両ＥＣＵ
５０２  ：通信異常判定モジュール
５０４  ：重要度判定モジュール
５０６  ：無線通信制御モジュール
５０８  ：グラフィックモジュール
【図１】
2020190601.tif 000003
【図２】
2020190601.tif 000004
【図３】
2020190601.tif 000005
【図４Ａ】
2020190601.tif 000006
【図４Ｂ】
2020190601.tif 000007
【図５Ａ】
2020190601.tif 000008
【図５Ｂ】
2020190601.tif 000009